(57)【要約】【課題】  メガネ、サングラス、矯正用メガネの上に掛けるオーバーグラス、又は一時的に着用する為の老眼鏡を構成するメガネフレームの提供。【解決手段】  左右に延びる湾曲可能なワタリ２の両端に継手を介して折畳み出来るようにツル３，３を取付け、上記ワタリ２の中央部にはフロント部１を取着し、そして上記ツル３，３はその長さを短くして先端部が顔側面のコメカミ部に当たる程度とし、またツル３，３の基部側には概略Ｖ形の補助ツルの一片を止着して取付け、該補助ツルの他片はＶ形の下端から後方斜め上方へ延びてツル３，３をＸ状にクロスして先端部が顔側面のコメカミ部に当たるようにしている。【選択図】    図１
2014149415.tif 000002
【特許請求の範囲】
【請求項１】
メガネ、サングラス、矯正用メガネの上に掛けるオーバーグラス、又は一時的に着用する為の老眼鏡を構成するメガネフレームにおいて、左右に延びる湾曲可能なワタリの両端に継手を介して折畳み出来るようにツルを取付け、上記ワタリの中央部にはフロント部を取着し、そして上記ツルはその長さを短くして先端部が顔側面のコメカミ部に当たる程度とし、またツルの基部には概略Ｖ形の補助ツルの一方側片を止着して取付け、該補助ツルの他方側片はＶ形の下端から後方斜め上方へ延びてツルとＸ状にクロスし、その先端部が顔側面のコメカミ部に当たるようにしたことを特徴とするメガネフレーム。
【請求項２】
概略Ｖ形の補助ツルとツルとの間に形成される三角形空間に遮蔽板を取付けた請求項１記載のメガネフレーム。
【発明の詳細な説明】
【技術分野】
【０００１】
本発明は主としてオーバーグラスを対象とし、着用している矯正用メガネの上に安定して掛けることが出来ると共に、顔側面からの光の差し込みを遮蔽することが出来るメガネフレームに関するものである。
【背景技術】
【０００２】
一口にサングラスと言っても、その形態は色々存在している。しかし、基本的な形態は同じで、フロント部の両側にツル（テンプル）を取付け、該テンプルは蝶番などの継手を介して折畳み出来るように成っている。そして、フロント部のリムにはサングラス用レンズが嵌っている。
【０００３】
図１３には従来の一般的なサングラス用フレームを表しているように、フロント部（イ）にはサングラス用レンズが嵌るリム（ロ）、（ロ）を中央の連結部（ハ）を中心として両側に形成している。ツル（ニ）、（ニ）はフロント部（イ）の両側に継手を介して折畳み可能に連結し、その先端部は耳に係止することが出来るように滑らかに湾曲している。
【０００４】
ところで、矯正用のメガネを掛けている人が自分の目を保護する為に、例えばサングラスをかけたい場合、矯正用のレンズを用いたサングラスを使用するか、あるいは着用しているメガネの上からオーバーグラスをかけるという方法が知られている。矯正用のレンズを用いたサングラスを使用するには、別途サングラスを作らねばならない為に手間と費用がかかり、そのサングラスを使用する場合に、本来のメガネを外して保管し、サングラスをかけるという煩わしさがある。
【０００５】
実開平５−５５１２３号に係る「オーバーグラス」は、矯正用の眼鏡をかけている人か、オーバーグラス専用の眼鏡でなくても、またどのような大きさや形状の眼鏡であっても、その眼鏡にフィットして用いることができ、更に掛けたり外したりが自由に出来、また使用時以外の携帯にも便利なオーバーグラスである。
そこで、レンズと、レンズの少なくとも二か所に設けられ、表側に飾り部を有し、裏側にバネ部とその先端に止め具とを有するフレーム押えとから構成している。
【０００６】
すなわち、該オーバーグラスはメガネのフロント部を止め具を介して挟み込むことで装着するようにしているが、オーバーグラスの安定性は悪く、メガネのフロント部に対して所定の位置に定まり難い。勿論、装着されたオーバーグラスは位置ズレもし易くなる。
【０００７】
特開２００９−８９２７号に係る「保護眼鏡」は、装着時に、矯正メガネにおける鼻パット、ツルと干渉することのない保護メガネである。
矯正眼鏡に重ねて使用する保護眼鏡であって、左右の中央部であって使用者の鼻に対応する部分に、下側の左右間隔が次第に広くなる鼻対応凹部を備え、鼻対応凹部の最下部に対応した眼鏡フレームの後側に、使用者の鼻に当接する鼻パットを備え、鼻パットの後方向への突出高さの最大高さ位置は、眼鏡フレームにおいて鼻対応凹部とレンズ下縁とを接続した湾曲部の曲率が最大の位置に対応して備えられており、保護眼鏡の左右のツルは、装着時に使用者が装着している矯正眼鏡におけるツルと干渉することのない上方位置に離れて位置する構成であり、鼻パットの突出高さは８ｍｍ〜１５ｍｍとしている。
しかし、矯正眼鏡のツルと保護眼鏡の左右のツルが長く延びていることで装着時に煩わしさを感じる。
【特許文献１】実開平５−５５１２３号に係る「オーバーグラス」
【特許文献２】特開２００９−８９２７号に係る「保護眼鏡」
【発明の開示】
【発明が解決しようとする課題】
【０００８】
このように、矯正メガネの上にオーバーグラスを掛ける場合、従来のオーバーグラスには上記のごとき問題がある。本発明が解決しようとする課題はこれら問題点であり、顔になじむと共に位置ズレすることなく安定して掛けることが出来るメガネフレーム、特にオーバーグラスを提供する。
【課題を解決するための手段】
【０００９】
本発明に係るメガネフレームは、フロント部とその両側にツルを取付け、該ツルは継手を介して折畳み出来るように成っている。本発明ではフロント部が左右に延びるワタリに取付けられ、そして、ツルはワタリの両端に継手を介して折畳み出来るように連結している。ワタリは湾曲可能な線状部材から成り、該ワタリの中央にフロント部が連結した構造としている。
【００１０】
そして、ツルは短くて耳までは届かない長さとし、顔側面のコメカミに当たって支持することが出来る。ところで、該ツルは従来のような１本ではなく、補助ツルを備え、該補助ツルは概略Ｖ形を成して一方側片の先端はツルの継手部付近に止着している。そこで、補助ツルの他方側片はツルと概略Ｘ状を成してクロスしている。概略Ｖ形の補助ツルがツルに取付けられることで、ツルと補助ツルとで三角形の空間が形成され、この空間には不透明又は半透明な樹脂板が取着される。
【発明の効果】
【００１１】
本発明に係るメガネフレームは、一般のメガネ又はサングラスとして顔に掛けることが出来、一方、矯正用メガネの上にオーバーグラスとして着用することが出来る。フロント部は湾曲可能なワタリの中央部に連結して取付けられ、ツルはワタリの両端に連結し、顔側面のコメカミに当たる短いものであるが、該ワタリと共に撓み変形してコメカミにフィットする。そして、ツルは補助ツルを備えている為に着用したメガネはより安定することが出来る。
【００１２】
一方、フロント部はワタリ中央部に取付けられた構造であり、その為に、フロント部は変形することなくワタリが湾曲して顔にフィットし、そしてワタリには好みに応じた形態のフロント部を取付けできる。またオーバーグラスとしてのメガネフレームの場合には、矯正用メガネのフロント部に適したフロント部を選択してワタリに取付けることが出来る。また、ツルには遮蔽板が取付けられ、その為にメガネの側部からの光が遮蔽され、サングラスとして使用する場合の効果は大きい。
【図面の簡単な説明】
【００１３】
【図１】本発明に係るメガネフレームの平面図。
【図２】本発明に係るメガネフレームの正面図。
【図３】本発明に係るメガネフレームの側面図。
【図４】遮蔽板を取り外した場合の側面図。
【図５】フロント部の平面図。
【図６】フロント部の正面図。
【図７】ワタリの具体例。
【図８】フロント部中央の縦断面拡大図。
【図９】本発明に係る他の実施例で、フロント部の平面図と正面図を表している。
【図１０】本発明に係る他の実施例で、ツルと補助ツルを取付けたワタリの平面図と正面図を表している。
【図１１】本発明に係るメガネフレームを示す他の実施例で、平面図と正面図を表している。
【図１２】メガネフレームの側面図と遮蔽板を表している。
【図１３】従来のサングラスフレームの具体例。
【発明を実施するための形態】
【００１４】
図１〜図３は本発明に係るメガネフレームを示す実施例で、オーバーグラスを示し、図１は平面図、図２は正面図、図３は側面図をそれぞれ表わしている。同図の１はフロント部、２はワタリ、３，３はツルを表し、上記フロント部１はワタリ２の中央部に取付けられている。フロント部１は樹脂製とし、中央の連結部４の両側にはリム５，５が形成され、リム５，５にはサングラスレンズ６，６が嵌っている。
【００１５】
そして、ワタリ２は撓み変形することが出来るように、細い金属製の線材から成り、このワタリ２の両端に上記ツル３，３が蝶番７，７を介して折畳み出来るように連結している。
ここで、上記ツル３は一般のメガネフレームのように長くはなく、すなわち耳まで延びておらず、顔側面のコメカミに当たることが出来る程度に短く成っている。そして、ツル３の蝶番付近となる基部には概略Ｖ形の補助ツル８がネジ止めされている。
【００１６】
上記Ｖ形の補助ツル８は、一方側片９の上端はツル３の蝶番側基部にロウ付けされて下方へ延び、他方側片１０はＶ形下端から後方上側へ傾斜して延び、その為にツル３と途中でクロスしている。ツル３の先端部は下側に位置し、補助ツル８の他方側片１０の先端部は上側に位置してコメカミ部を押圧することが出来る。本発明ではツル３の他に補助ツル８を備え、ツル先端部及び他方側片１０の先端部が顔側面のコメカミに当たることで接触面積が増加し、フロント部１は位置ズレすることなく安定する。
【００１７】
そして、概略Ｖ形の補助ツル８の一方側片の上端がツル３の基部にロウ付けされることで、補助ツル８とツル３との間には図４に示すように三角形の空間１１が形成される。本発明では、この三角形空間１１に図３のように遮蔽板１２が取付けられ、従ってメガネを着用した場合に側方からの光に侵入を該遮蔽板１２にて遮断することが出来る。該遮蔽板１２はツル３の蝶番側基部と概略Ｖ形の補助ツル８の下端にてネジ止めされている。
【００１８】
ところで、本発明のメガネフレームではそのフロント部１の両側にツル３，３を取付けておらず、フロント部１はワタリ２に取着される。しかも、大きく湾曲したワタリ２の中央部に取付けられる為に、該ワタリ２の両側端部ではフロント部１との間に空間が形成される。ツル３，３はこのワタリ２の両端に蝶番７，７を介して折畳み出来るように連結している。ここで、蝶番７，７はツル３，３の継手としての１形態であり、その為に蝶番７，７に限定はしない。
【００１９】
図５はワタリ２を取付ける前のフロント部１の平面図であり、図６はフロント部１にワタリ２を組付けた場合の正面図である。ただし、ワタリ２はフロント部１の背面側に配置されるが、図６では該ワタリ２を実線で示している。このフロント部１は樹脂製であり、中央に設けた連結部４の背面側には凸部１３が形成され、この凸部１３は上下方向に貫通するスリット穴１４を有している。そして、凸部１３の下側にはツメ１５を突出している。
【００２０】
図７はワタリ２を単独で示している。該ワタリ２は左右に延びて細くて湾曲することが出来る線材（部材）であり、中央には凹形をした係止部１６を設けている。この係止部１６はフロント部１の背面（裏面）に形成しているツメ１５に係止するが、該係止部１６は凸部１３のスリット穴１４に嵌り、係止部１６の下端部はスリット穴１４を貫通し、係止部１６の下片１７が上記ツメ１５に係止する。
【００２１】
図８はフロント部１中央に設けている連結部４の縦断面拡大図を示している。凸部１３のスリット穴１４を貫通した係止部１６は下側に突出して設けたツメ１５に下片１７が係止し、フロント部１はワタリ２の係止部１６に取付けられる。一旦ツメ１５に係止した係止部１６の下片１７は外れることなく、フロント部１はワタリ２に安定して取付けられる。
【００２２】
ところで、フロント部１をワタリ２に取付ける手段としては上記実施例の他にワタリ２をフロント部１にネジ止めしてもよい。このように、本発明ではワタリ２にフロント部１を取付けて構成することで、ワタリ２を共通した上でフロント部１の形態を色々変更することが可能となる。
オーバーグラスとして使用する場合、矯正用メガネの上に本発明のメガネフレームを掛けることから、フロント部１は矯正用メガネのフロント部がはみ出すことがないように、また必要以上に大きくならないように選定することが出来る。
【００２３】
図９、図１０は本発明の他の実施例であり、図９はフロント部１の平面図と正面図を、図１０はワタリ２の両側にツル３，３と補助ツル８，８を取付けた状態の平面図と正面図をそれぞれ示している。
ワタリ２の中央部には板状の嵌合部１８を形成し、該嵌合部１８には２個のネジ穴１９，１９を設けている。そして、フロント部１の中央連結部４にはその背面側に凸部１３を設け、この凸部１３には上下方向にスリット穴１４を貫通している。
【００２４】
そこで、フロント部１をワタリ２に取付ける場合には、ワタリ中央部に設けた嵌合部１８をフロント部１の凸部１３に形成したスリット穴１４に嵌合し、凸部背面側からネジ止めすることが出来る。スリット穴１４に嵌った嵌合部１８はガタ付くことがなく、この状態でネジ穴１９，１９にネジが螺合することで該嵌合部１８はスリット穴１４から外れることはない。図１１はワタリ２の中央部に設けた嵌合部１８にフロント部１が取付けられた平面図と正面図を表している。
【００２５】
図１２はメガネフレームの側面図と遮蔽板２０を表している。（ａ）にはツル３と概略Ｖ形の補助ツル８にて形成した三角形空間１１に点線で示しているように遮蔽板２０が取付けられる。この点は、前記図３にて示した実施例と同じであるが、該遮蔽板２０はネジ止めではなく、該遮蔽板２０の内面に形成した係合部２１ａ，２１ｂが補助ツル８に係合して取付ける形態としている。
【００２６】
図３に示している遮蔽板１２はネジ止めされているが、係合部２１ａ，２１ｂを内面に形成し、係合部２１ａはＬ形をしたリブ２２ａを内面から突出しており、また係合部２１ｂはＵ形をしたリブ２２ｂを内面から突出している。そこで、図１２（ｂ）に示す遮蔽板２０に形成している係合部２１ａ，２１ｂを実線で表しているが、実際には内面（背面）側に形成されている。
従って、遮蔽板２０を補助ツル８及びツル３の外側面に配置し、係合部２１ａのリブ２２ａは補助ツル８の一方側片９の先端に係合し、係合部２１ｂのリブ２２ｂは補助ツル８のＶ形下端に係合することが出来る。
【符号の説明】
【００２７】
１   フロント部
２   ワタリ
３   ツル
４   連結部
５   リム
６   サングラスレンズ
７   蝶番
８   補助ツル
９   一方側片
10   他方側片
11   空間
12   遮蔽板
13   凸部
14   スリット穴
15   ツメ
16   係止部
17   下片
18   嵌合部
19   ネジ穴
20   遮蔽板
21   係合部
22   リブ
【図１】
2014149415.tif 000003
【図２】
2014149415.tif 000004
【図３】
2014149415.tif 000005
【図４】
2014149415.tif 000006
【図５】
2014149415.tif 000007
【図６】
2014149415.tif 000008
【図７】
2014149415.tif 000009
【図８】
2014149415.tif 000010
【図９】
2014149415.tif 000011
【図１０】
2014149415.tif 000012
【図１１】
2014149415.tif 000013
【図１２】
2014149415.tif 000014
【図１３】
2014149415.tif 000015